(57)【特許請求の範囲】
【請求項１】
バッテリーポストに締結されるバッテリー端子と、ヒュージブルリンク本体から延設され前記バッテリー端子と接続されるバスバーとを有し、前記ヒュージブルリンク本体はバッテリーの角部を形成する２つの側面に対向する部分を有する平面視Ｌ字形状のハウジングを有する、ヒュージブルリンクユニットのバッテリーへの組み付け構造であって、
前記バスバーの接続端部はヒュージブルリンクのヒューズ回路に接続されて前記ハウジングの一辺から延設され、
前記ハウジング内の前記バスバーには電装回路に接続されるワイヤハーネスが接続され、
前記ハウジングのバッテリーの角部を形成する２つの側面に対向する部分の各面にはバッテリー側面と当接可能な当接部が、バッテリー側面との間にわずかな隙間を有して設けられたことを特徴とするヒュージブルリンクユニットの組み付け構造。
【請求項２】
前記当接部は前記バッテリーの複数の側面に当接するように設けられたことを特徴とする請求項１記載のヒュージブルリンクユニットの組み付け構造。
【請求項３】
前記当接部は前記バッテリー側面に向けて突設されたリブであることを特徴とする請求項１又は２記載のヒュージブルリンクユニットの組み付け構造。
【請求項４】
前記ハウジングの前記バスバーの前記接続端部が延設されていない側の部分に、前記バッテリーの上面に当接する支持片を延設したことを特徴とする請求項１〜３のいずれか記載のヒュージブルリンクユニットの組み付け構造。
【請求項５】
前記支持片が前記バッテリーの上面に向けて突設されたリブであることを特徴とする請求項４記載のヒュージブルリンクユニットの組み付け構造。
【発明の詳細な説明】
【技術分野】
【０００１】
本発明は、車両用バッテリーのポストに固定されるヒュージブルリンクユニットの組み付け構造に関する。
【背景技術】
【０００２】
従来のヒューズボックスの組み付け構造としては、図１３に示す構成が知られている（特許文献１参照）。この構成によれば、ヒューズボックス１００がバッテリー端子１０２に端子片（バスバー）１０４により接続されている。端子片１０４の断面は、コ字状に形成され、取付ボルト１０６にナット（図示せず）で固定される際に、コ字状部の両側壁がナットの締め付け時にヒューズボックス１００の回り止め機能を果たす。しかし、この構成では、端子片１０４のみでヒューズボックス１００を支持しているため、回路数が多くなってくると、端子片１０４やバッテリー端子（図示せず）に負荷がかかり易い。
【０００３】
また、従来の他のヒューズボックスの組み付け構造としては、図１４に示す構成が知られている（特許文献２参照）。この構成によれば、ヒューズボックス１１０のケース１１２にはバッテリー１０４の側面１０６に当接する突起１０８が設けられており、ケース１１２をバッテリー端子１１４に取り付ける際の、ナットの締め付け時にケース１１２の回り止め効果が期待できる。しかし、ナットを緩める場合にはケース１１２が左回りに回転し、ケースの角部が隣接する側面にぶつかって損傷する恐れがある。
【０００４】
また、従来の他のヒューズボックスの組み付け構造としては、図１５に示す構成が知られている（特許文献３）。この構成によれば、ヒュージブルリンク１２０には入力端子等の複数のボルト部１２２が立設され、Ｌ形端子１２４を接続される際にも回転トルクがかかり、締結時の負荷がバッテリー端子１２６にかかる。
【０００５】
【特許文献１】特開２００２−３５８８６７号公報（図４）
【特許文献２】特開２００１−５４２２３号公報（図１）
【特許文献３】特開２００７−８７８２３号公報（図１、図２）
【発明の開示】
【発明が解決しようとする課題】
【０００６】
上記のように、これら従来の構成では、ナットを締め付けたり緩めたりする際に、バッテリー端子等に負荷がかかったり、ヒュージブルリンクユニットが側壁に衝突したりするので、これらが損傷して耐久性が悪いという問題がある。
【０００７】
そこで、本発明の目的は、上記問題を解消することにあり、ヒュージブルリンクユニットの組み付け時やメンテナンス時の取り外し時に、ナットの締め付けや緩めによりヒュージブルリンクが連れ回りすることがなく、バッテリー端子等の付属部品を含めたヒュージブルリンクユニットが損傷することのないヒュージブルリンクユニットの組み付け構造を提供することにある。
【課題を解決するための手段】
【０００８】
本発明の上記目的は、下記構成により達成される。
（１）  バッテリーポストに締結されるバッテリー端子と、ヒュージブルリンク本体から延設され前記バッテリー端子と接続されるバスバーとを有し、前記ヒュージブルリンク本体はバッテリーの角部を形成する２つの側面に対向する部分を有する平面視Ｌ字形状のハウジングを有する、ヒュージブルリンクユニットのバッテリーへの組み付け構造であって、
前記バスバーの接続端部はヒュージブルリンクのヒューズ回路に接続されて前記ハウジングの一辺から延設され、
前記ハウジング内の前記バスバーには電装回路に接続されるワイヤハーネスが接続され、
前記ハウジングのバッテリーの角部を形成する２つの側面に対向する部分の各面にはバッテリー側面と当接可能な当接部が、バッテリー側面との間にわずかな隙間を有して設けられたことを特徴とするヒュージブルリンクユニットの組み付け構造。
【０００９】
（２）  前記当接部は前記バッテリーの複数の側面に当接するように設けられたことを特徴とする前記（１）記載のヒュージブルリンクユニットの組み付け構造。
【００１０】
（３）  前記当接部は前記バッテリー側面に向けて突設されたリブであることを特徴とする前記（１）又は（２）記載のヒュージブルリンクユニットの組み付け構造。
【００１１】
（４）  前記ハウジングの前記バスバーの前記接続端部が延設されていない側の部分に、前記バッテリーの上面に当接する支持片を延設したことを特徴とする前記（１）〜（３）のいずれか記載のヒュージブルリンクユニットの組み付け構造。
【００１２】
（５）  前記支持片が前記バッテリーの上面に向けて突設されたリブであることを特徴とする前記（４）記載のヒュージブルリンクユニットの組み付け構造。
【００１３】
前記（１）の構成によれば、ヒュージブルリンク本体のＬ字形状のハウジングの各辺がバッテリーの側面に当接するので、ヒュージブルリンク本体をバッテリーポストに固定する際のナット締め付け時、又はメンテナンス時のナット緩め時に、ヒュージブルリンク本体が回転モーメントを受ける方向に対して確実に支持固定される。
【００１４】
前記（２）の構成によれば、ヒュージブルリンクユニットはバッテリーの角部を跨ぐ複数の面に支持されるので、相反する両方向の回転トルク（回転モーメント）による負荷を緩和することができる。
【００１５】
前記（３）の構成によれば、突設されたリブによりバッテリー側面とヒュージブルリンクユニットとの間に隙間が形成されるので、ヒュージブルリンクユニットの通電発熱時に放熱効果が損なわれることがない。
【００１６】
前記（４）の構成によれば、バッテリーの上面に当接する支持片によりヒュージブルリンクユニットの自由端が支持されるので、ヒュージブルリンクユニットに接続されるワイヤハーネスの自重や張力がヒュージブルリンクユニットのバッテリー端子とバスバーの接続部に作用しても、ヒュージブルリンクユニットの揺動は規制され、適正に支持される。
【００１７】
前記（５）の構成によれば、突設されたリブによりバッテリー上面とヒュージブルリンクユニットとの間に隙間が形成されるので、ヒュージブルリンクユニットの通電発熱時に放熱効果が損なわれることがない。
【発明の効果】
【００１８】
本発明によれば、ヒュージブルリンク本体をバッテリーポストに固定する際のナット締め付け時、又はメンテナンス時のナット緩め時に、ヒュージブルリンク本体が連れ回りすることがなく、バッテリー端子等の付属部品を含めたヒュージブルリンクユニットが損傷することがない。
【発明を実施するための最良の形態】
【００１９】
以下、添付図面を参照して、本発明の一実施形態を説明する。図１は本発明の第１実施形態であるヒュージブルリンクユニットの斜視図、図２はヒュージブルリンクユニットを構成するヒュージブルリンク本体とバスバーの分解斜視図、図３はヒュージブルリンクユニットの下方からの斜視図、図４及び図５はそれぞれヒュージブルリンクユニットをバッテリーに取り付けた状態の平面図及び側面図である。
【００２０】
ヒュージブルリンクユニット１０は、ヒュージブルリンクユニット本体（以下、本体という。）１２と、本体１２にインサート成形されるバスバー１４とを備えている。本体は樹脂製であり、Ｌ字形状のハウジング１６を有し、可溶部１８を一体成形したバスバー１４がインサート成形されている。
【００２１】
バスバー１４の接続端部２０は、ハウジング１６の一辺からバッテリー方向に延設されている。また、バスバー１４にはワイヤハーネス接続用の４つのスタッドボルト２２が装着され、各電装部品に接続されるワイヤハーネス２４が接続端子２６とナット２８によりスタッドボルト２２に締結される。また、バスバー１４の接続端部２０にはバッテリー端子３０用のスタッドボルト３２が装着され、該スタッドボルト３２にバッテリー端子３０がナット３４により接続される。バッテリー端子３０は、端部に一対の挟持片３６を有し、該挟持片３６をバッテリーポスト３８に被せて挟持片３６をボルト４０で締め付けることにより、バッテリーポスト３８に組み付けられる。
【００２２】
ハウジング１６のＬ字を構成する各辺４２，４４は、バッテリー４６の角部を形成する２つの側面４８，５０に対向するようになっている。そして、ハウジング１６の各辺４２，４４にはバッテリー４６の側面４８，５０に向けて突出してバッテリー４６の側面４８，５０に当接するリブ５２，５４が上下方向に沿って設けられている。
【００２３】
本体１２は、可溶部１８を視認するための窓部５６を有しており、これらの窓部５６は本体１２の上部に装着されるカバー５８により閉塞される。
【００２４】
上記構成のヒュージブルリンクユニット１０によれば、バッテリー４６から流れる電流は、可溶部１８を有するバスバー１４を通って下流側回路に供給され、異常電流が発生した場合には、可溶部１８が溶断し、ワイヤハーネス２４の発煙等を防止する。
【００２５】
図６は図４のＡ−Ａ断面図であり、図７は図４のＢ−Ｂ断面図であり、図８は図５のＣ−Ｃ断面図である。これらの図に示すように、Ｌ字形状のハウジング１６の各辺４２，４４に設けられたリブ５２，５４は、バッテリー４６の角部を形成する２つの側面４８，５０に当接するようになっている。
【００２６】
図９に本体１２をバッテリー４６に取り付けた状態の模式図を示すように、ハウジング１６のＬ字形状の各辺４２，４４は、バッテリー４６の角部を形成する２つの側面４８，５０に対向し、本体１２はリブ５２，５４がバッテリーの各側面４８，５０に当接できる状態でバッテリー端子３０によりバッテリーポスト３８に取り付けられる。したがって、本体１２をバッテリー端子３０にナット３４で締結する際、及び本体１２のスタッドボルト２２に接続されるワイヤハーネス２４の端子２６をナット２８で締結する際に、バッテリー端子３０にかかるトルクを、本体１２のリブ５２，５４を介してバッテリー４６の２つの側面４８，５０に分散することができる。
【００２７】
そして、リブ５２，５４が当接したバッテリー４６の側面４８，５０が回転モーメントを受けるので、本体１２がナットの回転に連れ回りすることがない。したがって、本体１２やバッテリー端子３０に過剰な負荷がかからず、これらが損傷することがなく耐久性に優れたものとなる。
【００２８】
なお、各リブ５２，５４は側壁４８，５０に常に当接しているのではなく、通常は側壁４８，５０との間にわずかな隙間を有しており、ハウジング１６に回転モーメントが作用した場合に側壁４８，５０に当接するようになる。したがって、図９に示すように、ナット３４を締め付けることにより右回りの回転モーメントが作用した場合は、図１０に示すように微小角度右回転する。また、図９に示すように、ナットを緩めることにより左回りの回転モーメントが作用した場合は、図１１に示すように右回りよりも大きい微小角度左回転する。しかし、ハウジング１６は微小回転するだけなので、バッテリー端子３０等に過剰な負荷を与えることはない。
【００２９】
また、上記に変えてリブ５２，５４を側壁４８，５０との間に微小間隙を設けずに密接させて、本体１２をバッテリー４６に押し付けて支持することで、本体１２とバッテリー４６の取付向きを一定に維持できる。更に、バッテリー取付後は、バッテリー４６の側面４８，５０のリブ支持方向に対しヒュージブルリンクユニットが振動を起こしても、リブ５２，５４が振動を制限し、バッテリー端子３０に過剰な応力が集中するのを緩和できる。
【００３０】
また、凸条からなるリブ５２，５４が側壁４８，５０に当接する構成にすることにより、バッテリー４６と本体１２との間に一定の間隙が形成される。これにより、バッテリー側面４８，５０が凹凸形状であっても、確実にリブ５２，５４が側面４８，５０に当接することができ、ヒュージブルリンクユニット１０の通電発熱時の放熱効果を損なうことがない。
【００３１】
図１２はヒュージブルリンクユニット１０の変形例の模式図を表し、（ａ）はバッテリー４６へ組み付けた状態の側面図、（ｂ）は本体の平面図である。なお、図１２（ａ）においてＦはワイヤハーネス２４の自重や張力を表し、Ｆ１、Ｆ２は当接部における反力を表す。
【００３２】
図１２に示すように、本体１２のバスバー１４の接続端部２０が延設されていない側のハウジング１６の辺４２に、バッテリー４６の上面６０に当接する支持片６２を設けることで、本体１２に接続されるワイヤハーネス２４の自重や張力Ｆをバッテリー４６の上面６０で支持できる。これにより、バッテリー端子３０にワイヤハーネス２４の下向きの応力が集中するのを緩和することができるとともに、バッテリー４６に上下方向の振動が加わった場合に、ヒュージブルリンクユニット１０が上下に揺動するのを規制することができ、バッテリー端子３０の接続部に応力がかかるのを緩和することができる。
【００３３】
なお、本発明は上記実施形態に限定されることはなく、本発明の技術的思想に基づいてあらゆる変形が可能である。例えば、リブ５２，５４は凸条でなくてもよく、単なる突起であってもよい。また、リブ５２，５４の数はいくつであってもよく特に限定されない。
【図面の簡単な説明】
【００３４】
【図１】本発明の第１実施形態であるヒュージブルリンクユニット組み付け構成図である。
【図２】ヒュージブルリンクユニットの分解斜視図である。
【図３】ヒュージブルリンクユニットの下方からの斜視図である。
【図４】ヒュージブルリンクユニットをバッテリーに取り付けた状態の平面図及び側面図である。
【図５】ヒュージブルリンクユニットをバッテリーに取り付けた状態の側面図である。
【図６】図４のＡ−Ａ断面図である。
【図７】図４のＢ−Ｂ断面図である。
【図８】図５のＣ−Ｃ断面図である。
【図９】ヒュージブルリンクユニットをバッテリーに取り付けた状態の模式図である。
【図１０】ヒュージブルリンクユニットの右回転状態を表す模式図である。
【図１１】ヒュージブルリンクユニットの左回転状態を表す模式図である。
【図１２】ヒュージブルリンクユニットの変形例を表し、（ａ）はバッテリーに取り付けた状態の模式図、（ｂ）はハウジングの簡略平面図である。
【図１３】特許文献１のヒューズボックス組み付け構造の分解斜視図である。
【図１４】特許文献２のヒューズボックス組み付け構造の要部斜視図である。
【図１５】特許文献３のヒューズボックス組み付け構造の分解斜視図である。
【図１６】特許文献３のヒューズボックス組み付け構造の要部斜視図である。
【符号の説明】
【００３５】
１０  ヒュージブルリンクユニット
１２  ヒュージブルリンク本体
１４  バスバー
１６  ハウジング
１８  可溶部
２０  接続端部
２２，３２  スタッドボルト
２４  ワイヤハーネス
２６  接続端子
２８，３４  ナット
３０  バッテリー端子
３８  バッテリーポスト
４０  ボルト
４２，４４  ハウジングの辺
４６  バッテリー
４８，５０  バッテリーの側面
５２，５４  リブ
【図１】
0005128902.tif 000002
【図２】
0005128902.tif 000003
【図３】
0005128902.tif 000004
【図４】
0005128902.tif 000005
【図５】
0005128902.tif 000006
【図６】
0005128902.tif 000007
【図７】
0005128902.tif 000008
【図８】
0005128902.tif 000009
【図９】
0005128902.tif 000010
【図１０】
0005128902.tif 000011
【図１１】
0005128902.tif 000012
【図１２】
0005128902.tif 000013
【図１３】
0005128902.tif 000014
【図１４】
0005128902.tif 000015
【図１５】
0005128902.tif 000016
【図１６】
0005128902.tif 000017